(57)【要約】【課題】装置の各構成部に対して除菌、抗ウィルスおよび抗アレルゲン作用を行うことができる空気イオン搬送装置を提供する。【解決手段】空気を送風する送風手段１と、負イオンまたは正イオンまたはこれらの両イオンを含ませた空気イオンを発生する空気イオン発生手段２とを有した空気イオン搬送装置において、空気イオン発生手段２を所望の対象部位風上に配置する。この結果、空気イオン発生手段２の風下にある所望の対象部位を、そこに至る空気イオンによって除菌、抗ウィルスおよび抗アレルゲン作用を行う。この結果、空気イオンの効果を長く維持して高効率で所定域に空気イオンを搬送することができる。また、空気イオンを搬送する部位に金属や導電性などのある非／低帯電材料を用いる、または帯電した電荷を除去するための電荷除去装置やアースを行う場所を設置するなど帯電除去手段を用意することで、空気イオンの搬送効率を向上する。【選択図】        図７
2006280787.tif 000002
【特許請求の範囲】
【請求項１】
空気を送風する送風手段と、負イオンまたは正イオンまたはこれらの両イオンを含ませた空気イオンを発生する空気イオン発生手段とを有した空気イオン搬送装置において、
前記空気イオン発生手段を所望とする対象部位の風上に配置したことを特徴とする空気イオン搬送装置。
【請求項２】
前記対象部位は所定域の空気を入れ換える換気システム、あるいは所定域の空気調節を行う空調システムにおける構成部であることを特徴とする請求項１に記載の空気イオン搬送装置。
【請求項３】
前記送風手段は送風機を有し、当該送風機の空気吸込側に前記空気イオン発生手段を配置したことを特徴とする請求項１に記載の空気イオン搬送装置。
【請求項４】
空気を清浄する清浄手段を有し、当該清浄手段の入口側に前記空気イオン発生手段を配置したことを特徴とする請求項１に記載の空気イオン搬送装置。
【請求項５】
空気を清浄する清浄手段を有し、当該清浄手段の出口側に前記空気イオン発生手段を配置したことを特徴とする請求項１に記載の空気イオン搬送装置。
【請求項６】
前記送風手段の送風によって空気を所定域に向けて吹出す空気吹出口を有し、当該空気吹出口近傍に前記空気イオン発生手段を配置したことを特徴とする請求項１に記載の空気イオン搬送装置。
【請求項７】
前記送風手段に接続したダクトを有し、当該ダクト内に前記空気イオン発生手段を配置したことを特徴とする請求項１に記載の空気イオン搬送装置。
【請求項８】
前記送風手段の送風によって外気を取り入れる取入ダクトを有し、当該取入ダクト内に前記空気イオン発生手段を配置したことを特徴とする請求項１に記載の空気イオン搬送装置。
【請求項９】
前記送風手段の送風によって所定域の空気を外気に排気する排気ダクトを有し、当該排気ダクト内に前記空気イオン発生手段を配置したことを特徴とする請求項１に記載の空気イオン搬送装置。
【請求項１０】
空気の熱交換を行うコイルを有し、当該コイルの入口側に前記空気イオン発生手段を配置したことを特徴とする請求項１に記載の空気イオン搬送装置。
【請求項１１】
空気の熱交換を行うコイルを有し、当該コイルの出口側に前記空気イオン発生手段を配置したことを特徴とする請求項１に記載の空気イオン搬送装置。
【請求項１２】
空気イオンを搬送する部位に帯電除去手段を設けたことを特徴とする請求項１〜１１のいずれか一つに記載の空気イオン搬送装置。
【発明の詳細な説明】
【技術分野】
【０００１】
本発明は、本発明は、空気搬送装置に関し、特に住宅やオフィスなどの部屋に負イオン（マイナスイオン）や正イオン（プラスイオン）を空気に含ませた空気イオンを供給する空気イオン搬送装置に関するものである。
【背景技術】
【０００２】
近年、例えば高気密・高断熱の住宅などにおいて、屋内の空気が屋外の空気と十分に置換できないため、各々の部屋ごとに積極的に換気を行うようにした換気装置がある。この装置は、送風機によって給気ボックスから空気の供給を行い、送風機によって排気ボックスに空気を吸引するように構成したチャンバー送風機を備えている。チャンバー送風機には、多数のダクト孔を開口配置し、当該ダクト孔と各部屋の給気口および排気口とを個別に直接連結するように部屋ごと専用の給気ダクトおよび排気ダクトを配置してある。そして、チャンバー送風機の給気ボックス乃至そのダクト孔には、負イオン（マイナスイオン）発生手段を配置してあり、さらに各ダクト孔に風量調整手段を配置してある（例えば、特許文献１参照）。
【０００３】
また、空気搬送路の内壁面に浮遊物が付着することを防ぎ、空気搬送路に流れ込む空気を浮遊物が汚染することがない空調ダクト装置がある。この装置は、空気を給気するとともに空気に含まれる塵や埃を除去した後に空気を空気搬送路に送風する送風手段と、高電圧印加電極と当該高電圧印加電極に対向して配置された接地電極とを有して送風手段が送風した空気に負イオンを供給する負イオン発生手段と、負イオン発生装置が供給した負イオンによって負極性に帯電した空気に含まれる浮遊物が空気搬送路の内壁面に付着しないように空気搬送路の内壁面を負極性に帯電させる表面電位発生手段とを備えている（例えば、特許文献２参照）。
【０００４】
また、屋内に負イオンを供給し、しかも、冬期には屋内を効果的に加湿しながら換気することができる屋内強制換気システムがある。このシステムは、レナード式による負イオン発生手段が備えられるとともに、屋内から屋外に排出される空気と、屋外から屋内に供給される空気とを熱交換させる熱交換素子が備えられ、負イオン発生手段で発生させた負イオンが、熱交換素子と屋内給気口とを結ぶ給気通路に供給されるようになされている（例えば、特許文献３参照）。
【０００５】
【特許文献１】特開２００３−９７８３６号公報
【特許文献２】特開２００２−２７７０１０号公報
【特許文献３】特開２００４−１１６９７０号公報
【発明の開示】
【発明が解決しようとする課題】
【０００６】
ところで、近年では、負イオン（マイナスイオン）および正イオン（プラスイオン）を共に発生して空気に含ませた空気イオンによって、カビ菌およびウィルスなどの空気中に浮遊する細菌を殺菌、不活化することが知られている。
【０００７】
そこで、給気用送風機ユニット、排気用送風機ユニット、ダクト、給気口、排気口などから構成される換気システムや空調システムなどの空気搬送システムのように建物内に空気を給気および排気する場合において、微生物やウィルスの抑制や、人体に影響を与え得るアレルゲンの低減を行うことが望まれている。
【０００８】
本発明は、上記実情に鑑みて、装置の各構成部に対して除菌、抗ウィルスおよび抗アレルゲン作用を行うことができる空気イオン搬送装置を提供することを目的とする。
【課題を解決するための手段】
【０００９】
上記の目的を達成するために、本発明の請求項１に係る空気イオン搬送装置は、空気を送風する送風手段と、負イオンまたは正イオンまたはこれらの両イオンを含ませた空気イオンを発生する空気イオン発生手段とを有した空気イオン搬送装置において、前記空気イオン発生手段を所望とする対象部位の風上に配置したことを特徴とする。
【００１０】
本発明の請求項２に係る空気イオン搬送装置は、上記請求項１において、前記対象部位は所定域の空気を入れ換える換気システム、あるいは所定域の空気調節を行う空調システムにおける構成部であることを特徴とする。
【００１１】
本発明の請求項３に係る空気イオン搬送装置は、上記請求項１において、前記送風手段は送風機を有し、当該送風機の空気吸込側に前記空気イオン発生手段を配置したことを特徴とする。
【００１２】
本発明の請求項４に係る空気イオン搬送装置は、上記請求項１において、空気を清浄する清浄手段を有し、当該清浄手段の入口側に前記空気イオン発生手段を配置したことを特徴とする。
【００１３】
本発明の請求項５に係る空気イオン搬送装置は、上記請求項１において、空気を清浄する清浄手段を有し、当該清浄手段の出口側に前記空気イオン発生手段を配置したことを特徴とする。
【００１４】
本発明の請求項６に係る空気イオン搬送装置は、上記請求項１において、前記送風手段の送風によって空気を所定域に向けて吹出す空気吹出口を有し、当該空気吹出口近傍に前記空気イオン発生手段を配置したことを特徴とする。
【００１５】
本発明の請求項７に係る空気イオン搬送装置は、上記請求項１において、前記送風手段に接続したダクトを有し、当該ダクト内に前記空気イオン発生手段を配置したことを特徴とする。
【００１６】
本発明の請求項８に係る空気イオン搬送装置は、上記請求項１において、前記送風手段の送風によって外気を取り入れる取入ダクトを有し、当該取入ダクト内に前記空気イオン発生手段を配置したことを特徴とする。
【００１７】
本発明の請求項９に係る空気イオン搬送装置は、上記請求項１において、前記送風手段の送風によって所定域の空気を外気に排気する排気ダクトを有し、当該排気ダクト内に前記空気イオン発生手段を配置したことを特徴とする。
【００１８】
本発明の請求項１０に係る空気イオン搬送装置は、上記請求項１において、空気の熱交換を行うコイルを有し、当該コイルの入口側に前記空気イオン発生手段を配置したことを特徴とする。
【００１９】
本発明の請求項１１に係る空気イオン搬送装置は、上記請求項１において、空気の熱交換を行うコイルを有し、当該コイルの出口側に前記空気イオン発生手段を配置したことを特徴とする。
【００２０】
本発明の請求項１２に係る空気イオン搬送装置は、上記請求項１〜１１のいずれか一つにおいて、空気イオンを搬送する部位に帯電除去手段を設けたことを特徴とする。
【発明の効果】
【００２１】
本発明に係る空気イオン搬送装置は、空気イオン発生手段を風上に配置したことで、その風下にある所望の対象部位を、そこに至る空気イオンによって除菌、抗ウィルスおよび抗アレルゲン作用を行う。この結果、空気イオンの効果を長く維持して高効率で所定域に空気イオンを搬送することができる。例えば、送風手段の送風機の空気吸込側に空気イオン発生手段を配置すれば、送風機およびその風下の構成部の除菌、抗ウィルスおよび抗アレルゲン作用が行える。また、清浄手段の入口側に空気イオン発生手段を配置すれば、清浄手段の除菌、抗ウィルスおよび抗アレルゲン作用が行えるので、フィルタ類などの清浄手段の部品交換時期を延長できる。また、清浄手段の出口側に空気イオン発生手段を配置すれば、空気イオンを減衰させることなく空気に含ませることができる。また、所定域に向けて吹出す空気吹出口近傍に前記空気イオン発生手段を配置すれば、より遠方に空気イオンを飛ばすことができる。また、ダクト内に空気イオン発生手段を配置すれば、ダクト内の除菌、抗ウィルスおよび抗アレルゲン作用が行える。また、外気を取り入れる取入ダクトに空気イオン発生手段を配置すれば、取り入れた外気の除菌、抗ウィルスおよび抗アレルゲン作用が行える。また、所定域の空気を外気に排気する排気ダクトに空気イオン発生手段を配置すれば、排気の除菌、抗ウィルスおよび抗アレルゲン作用が行える。また、空気の熱交換を行うコイルの入口側に空気イオン発生手段を配置すれば、コイルの除菌、抗ウィルスおよび抗アレルゲン作用が行えるので、コイルの部品交換時期を延長できる。また、空気の熱交換を行うコイルの出口側に空気イオン発生手段を配置すれば、空気イオンを減衰させることなく空気に含ませることができる。さらに、空気イオンを搬送する部位に帯電除去手段を設ければ、空気イオンを搬送する部位における空気イオンの搬送効率を向上することができ、除菌、抗ウィルスおよび抗アレルゲン効果を高めるとともに、空気イオンの搬送距離を長くすることができる。
【発明を実施するための最良の形態】
【００２２】
以下に添付図面を参照して、本発明に係る空気イオン搬送装置の好適な実施の形態を詳細に説明する。なお、この実施例によりこの発明が限定されるものではない。
【００２３】
図１〜図８は本発明に係る空気イオン搬送装置の実施の形態を示す概略図である。また、本実施の形態における空気イオン搬送装置は、例えば集合住宅、医療・老健施設、オフィス、工場など所定域の空気を入れ換える換気システム、あるいは所定域の空気調節を行う空調システム・建築設備などの様々な建物用途や車両（乗用車、バス、電車など）の空気調節を行う空調システムに適用されるものである。
【００２４】
図１に示す空気イオン搬送装置は、送風手段１と空気イオン発生手段２とを有した空気イオン搬送ユニットを構成してある。送風手段１は、箱状のケーシング１１、および当該ケーシング１１に収容した送風機１２を有している。ケーシング１１において送風機１２の空気吸込側となる部位には、空気吸込口１１ａが設けてある。また、ケーシング１１において送風機１２の空気吹出側となる部位には空気吹出口１１ｂが設けてある。空気吹出口１１ｂは、空気イオンを搬送する所定域に向けて１〜複数（本実施の形態では４つ）設けてある。なお、空気吹出口１１ｂには、所定域に繋がるダクト４を接続してもよい。
【００２５】
また、図１に示すように送風機１２の空気吹出側であるケーシング１１の内部には、空気を清浄する清浄手段としてのフィルタ３が設けてある。フィルタ３は、例えばＨＥＰＡフィルタ（Ｈｉｇｈ  Ｅｆｆｉｃｉｅｎｃｙ  Ｐａｒｔｉｃｕｌａｔｅ  Ａｉｒ  Ｆｉｌｔｅｒ）等からなり、送風機１２の稼働によってその入口側から出口側に通過する空気中の塵埃などを主に除去する。また、フィルタ３は。通過する空気の状態に応じて比較的粗大な汚染物を除去するフィルタや、ＮＯX・ＳＯXや化学物質や花粉などを除去するフィルタを適宜採用するようにしてもよい。
【００２６】
空気イオン発生手段２は、周囲の空気に正イオンを発生させる正イオン発生装置、周囲の空気に負イオンを発生させる負イオン発生装置、あるいは周囲の空気に正イオンおよび負イオンを共に発生させる正負イオン発生装置などを含む。すなわち、空気イオン発生手段２としては、正イオン発生装置のみ、負イオン発生装置のみ、正イオン発生装置および負イオン発生装置の組み合わせ、正負イオン発生装置での構成がある。図１ではこれらのイオン発生装置を４つ配置した例を示す。
【００２７】
正イオン発生装置および負イオン発生装置を組み合わせた構成の場合には、正イオン発生装置と負イオン発生装置とを所定間隔をおいて配置する。所定間隔は、例えば０．１ｃｍ以上、好ましくは０．５ｃｍ以上、さらに好ましくは１ｃｍ以上とするのがよい。このようにイオン発生装置を少なくとも０．１ｃｍ以上離して設置することにより、発生したイオンの減衰が激減する。なお、所定間隔は、イオン発生装置の配置される部位の容積、設置数またはイオン発生能力により、最適な間隔は適宜変化する。また、図には明示しないが正イオン発生装置と負イオン発生装置との間に仕切部を設けてもよい。さらに、正イオン／負イオンを共に発生させる装置を複数設置する場合も同様である。
【００２８】
正イオン発生装置および負イオン発生装置の組み合わせ、または正負イオン発生装置で構成した空気イオン発生手段２は、図には明示しないが、高電圧発生部とイオン発生部とを対向配置し、高電圧発生部からイオン発生部に高電圧を印加することによってコロナ放電により、空気中の酸素ないしは水分が電離によりエネルギーを受けてイオン化し、Ｈ+（Ｈ2Ｏ）m（ｍは任意の自然数）とＯ2-（Ｈ2Ｏ）n（ｎは任意の自然数）とを主体とした正負のイオン（プラスイオンとマイナスイオン）を生成する。これら、Ｈ+（Ｈ2Ｏ）mおよびＯ2-（Ｈ2Ｏ）nは、浮遊菌の表面に付着し、化学反応して活性種である過酸化水素（Ｈ2Ｏ2）または水酸基ラジカル（・ＯＨ）を生成する。Ｈ2Ｏ2または・ＯＨは、極めて強力な活性を示すため、これらにより、空気中の浮遊細菌を取り込んで不活化することができる。ここで、・ＯＨは活性種の１種であり、ラジカルのＯＨを示している。
【００２９】
正負のイオンは、浮遊細菌の細胞表面で下記式（１）〜式（３）に示すように化学反応して、活性種である過酸化水素（Ｈ2Ｏ2）または水酸基ラジカル（・ＯＨ）を生成する。ここで、式（１）〜式（３）において、ｍ、ｍ′、ｎ、ｎ′は任意の自然数である。これにより、活性種の分解作用によってウィルスなどの浮遊細菌が破壊される。したがって、効率的に空気中の浮遊細菌を不活化、殺菌することができる。
【００３０】
Ｈ+（Ｈ2Ｏ）m＋Ｏ2-（Ｈ2Ｏ）n→・ＯＨ＋1/2Ｏ2＋（ｍ＋ｎ）Ｈ2Ｏ…式（１）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→２・ＯＨ＋Ｏ2＋（ｍ＋ｍ′＋ｎ＋ｎ′）Ｈ2Ｏ…式（２）
Ｈ+（Ｈ2Ｏ）m＋Ｈ+（Ｈ2Ｏ）m′＋Ｏ2-（Ｈ2Ｏ）n＋Ｏ2-（Ｈ2Ｏ）n′→Ｈ2Ｏ2＋Ｏ2＋（ｍ＋ｍ′＋ｎ＋ｎ′）Ｈ2Ｏ…式（３）
以上のメカニズムにより、前記正負イオンの放出により浮遊菌等の殺菌効果を得ることができる。
【００３１】
また、前記式（１）〜式（３）は、空気中の有害物質表面でも同様の作用を生じさせることができるため、活性種である過酸化水素（Ｈ2Ｏ2）または水酸基ラジカル（・ＯＨ）が、有害物質を酸化もしくは分解して、ホルムアルデヒドやアンモニア等の化学物質を、二酸化炭素や、水、窒素等の無害な物質に変換することにより、実質的に無害化することが可能である。
【００３２】
その他、正イオンと負イオンには、コクサッキーウィルス、ポリオウィルス、等のウィルス類も不活化する働きがあり、これらウィルスの混入による汚染が防止できる。また、正イオンと負イオンには、臭いの元となる分子を分離する働きがあることも確かめられており、空間の脱臭にも利用できる。また、正イオンと負イオンには、人体に影響を与えるアレルゲン（ハウスダスト、ダニ、カビ、花粉などアレルギーを引き起こす物質）を包み込んでその作用を抑制する作用もある。なお、空気イオン発生手段２としては、上記以外にも、レナード効果やプラズマなどによって空気イオン（正イオン，負イオン）を発生させることができる。
【００３３】
上記空気イオン発生手段２は、図１に示すように送風機１２の空気吹出側であって、フィルタ３の出口側であるケーシング１１の内部に配置してある。
【００３４】
図１に示すように構成した空気イオン搬送装置は、送風機１２を稼働することによって空気吸込口１１ａからケーシング１１の内部に空気を吸込む。ケーシング１１の内部に吸込まれた空気をフィルタ３によって清浄する。清浄された空気に対して空気イオン発生手段２によって発生した空気イオンを含ませる。そして、空気イオンを含む清浄空気を、空気吹出口１１ｂからケーシング１１の外部の所定域（ダクト４）に吹出す。この結果、空気イオン発生手段２を風上に配置した所望の対象部位であって、図１に示す空気吹出口１１ｂおよび所定域（ダクト４）に対し、そこに至る空気イオンによって除菌、抗ウィルスおよび抗アレルゲン作用を行う。
【００３５】
したがって、図１に示す空気イオン搬送装置では、空気イオン発生手段２を風上に配置したことで、その風下にある所望の対象部位である空気イオン発生手段２の周辺や風下、さらに空気吹出口１１ｂおよび所定域（ダクト４）など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、空気イオンは、空気中の微粒子に吸着するので、図１に示す空気イオン搬送装置のごとくフィルタ３を通過した後の空気に空気イオン発生手段２によって空気イオンを含ませれば、空気イオンの効果をより長く維持して高効率で所定域に空気イオンを搬送することが可能になる。
【００３６】
図２に示す空気イオン搬送装置は、送風手段１と空気イオン発生手段２とを有した空気イオン搬送ユニットを構成してある。なお、図２に示す空気イオン搬送装置は、図１に示す構成と基本的に同様であり、空気イオン発生手段２の配置が異なる。具体的に、空気イオン発生手段２は、図２に示すように送風機１２の空気吸込側であるケーシング１１の内部に配置してある。
【００３７】
図２に示すように構成した空気イオン搬送装置は、送風機１２を稼働することによって空気吸込口１１ａからケーシング１１の内部に空気を吸込む。ケーシング１１の内部に吸込まれた空気に対して空気イオン発生手段２によって発生した空気イオンを含ませる。空気イオンを含む空気をフィルタ３によって清浄する。そして、空気イオンを含む清浄空気を、空気吹出口１１ｂからケーシング１１の外部の所定域（ダクト４）に吹出す。この結果、空気イオン発生手段２を風上に配置した所望の対象部位であって、図２に示す送風機１２、フィルタ３、空気吹出口１１ｂおよび所定域（ダクト４）などの空気イオン発生手段２の周辺や風下部に対し、そこに至る空気イオンによって除菌、抗ウィルスおよび抗アレルゲン作用を行う。
【００３８】
したがって、図２に示す空気イオン搬送装置では、空気イオン発生手段２を風上に配置したことで、その風下にある所望の対象部位である送風機１２、フィルタ３、空気吹出口１１ｂおよび所定域（ダクト４）などの空気イオン発生手段２の周辺や風下部など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、空気イオンによってフィルタ３の除菌、抗ウィルスおよび抗アレルゲン作用を行うことで、フィルタ３の微生物除去効果を上げ、さらにこの効果を延命するので、フィルタ３の交換時期を延長することが可能になる。
【００３９】
図３に示す空気イオン搬送装置は、送風手段１と空気イオン発生手段２とを有した空気イオン搬送ユニットを構成してある。なお、図３に示す空気イオン搬送装置は、図１に示す構成と基本的に同様であり、フィルタ３および空気イオン発生手段２の配置が異なる。具体的に、フィルタ３は、図３に示すように送風機１２の空気吸込側であるケーシング１１の内部に配置してある。そして、空気イオン発生手段２は、送風機１２の空気吸込側であってフィルタ３の入口側に配置してある。
【００４０】
図３に示すように構成した空気イオン搬送装置は、送風機１２を稼働することによって空気吸込口１１ａからケーシング１１の内部に空気を吸込む。ケーシング１１の内部に吸込まれた空気に対して空気イオン発生手段２によって発生した空気イオンを含ませる。空気イオンを含む空気をフィルタ３によって清浄する。そして、空気イオンを含む清浄空気を、空気吹出口１１ｂからケーシング１１の外部の所定域（ダクト４）に吹出す。この結果、空気イオン発生手段２を風上に配置した所望の対象部位であって、図２に示すフィルタ３、送風機１２、空気吹出口１１ｂおよび所定域（ダクト４）などの空気イオン発生手段２の周辺や風下部に対し、そこに至る空気イオンによって除菌、抗ウィルスおよび抗アレルゲン作用を行う。
【００４１】
したがって、図３に示す空気イオン搬送装置では、空気イオン発生手段２を風上に配置したことで、その風下にある所望の対象部位である送風機１２、フィルタ３、空気吹出口１１ｂおよび所定域（ダクト４）などの空気イオン発生手段２の周辺や風下部など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、空気イオンによってフィルタ３の除菌、抗ウィルスおよび抗アレルゲン作用を行うことで、フィルタ３の微生物除去効果を上げ、さらにこの効果を延命するので、フィルタ３の交換時期を延長することが可能になる。
【００４２】
図４に示す空気イオン搬送装置は、送風手段１と空気イオン発生手段２とを有した空気イオン搬送ユニットを構成してある。なお、図４に示す空気イオン搬送装置は、図１に示す構成と基本的に同様であり、空気イオン発生手段２をさらに加えて配置してある。具体的に、空気イオン発生手段２は、図４に示すように送風機１２の空気吹出側であって、フィルタ３の出口側であるケーシング１１の内部に配置してある他、さらに加えて送風機１２の空気吸込側であるケーシング１１の内部に配置してある。
【００４３】
図４に示すように構成した空気イオン搬送装置は、送風機１２を稼働することによって空気吸込口１１ａからケーシング１１の内部に空気を吸込む。ケーシング１１の内部に吸込まれた空気に対して空気イオン発生手段２によって発生した空気イオンを含ませる。空気イオンを含む空気をフィルタ３によって清浄する。空気イオンを含む清浄空気に対して空気イオン発生手段２によって発生した空気イオンをさらに含ませる。そして、空気イオンを含む清浄空気を、空気吹出口１１ｂからケーシング１１の外部の所定域（ダクト４）に吹出す。この結果、空気イオン発生手段２を風上に配置した所望の対象部位であって、図４に示す送風機１２，フィルタ３、空気吹出口１１ｂおよび所定域（ダクト４）などの空気イオン発生手段２の周辺や風下部に対し、そこに至る空気イオンによって除菌、抗ウィルスおよび抗アレルゲン作用を行う。特に図４に示す空気イオン搬送装置は、フィルタ３の出口側および入口側に空気イオン発生手段２が設けてあるので、フィルタを通過した空気にさらに空気イオンを含ませることが可能である。
【００４４】
したがって、図４に示す空気イオン搬送装置では、空気イオン発生手段２を風上に配置したことで、その風下にある所望の対象部位である送風機１２、フィルタ３、空気吹出口１１ｂおよび所定域（ダクト４）などの空気イオン発生手段２の周辺や風下部など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、空気イオンによってフィルタ３の除菌、抗ウィルスおよび抗アレルゲン作用を行うことで、フィルタ３の微生物除去効果を上げ、さらにこの効果を延命するので、フィルタ３の交換時期を延長することが可能になる。また、フィルタ３を通過した空気にさらに空気イオンを含ませることにより、フィルタ３通過時に空気イオンが減衰しても、空気イオンの量を補助することが可能である。
【００４５】
図５に示す空気イオン搬送装置は、送風手段１と空気イオン発生手段２とを有した空気イオン搬送ユニットを構成してある。なお、図５に示す空気イオン搬送装置は、図１に示す構成と基本的に同様であり、空気イオン発生手段２の配置が異なる。具体的に、空気イオン発生手段２は、図５に示すように空気吹出口１１ｂ近傍に配置してある。また、図には明示しないが空気イオン発生手段２をダクト４内部に設置する場合もある。
【００４６】
図５に示すように構成した空気イオン搬送装置は、送風機１２を稼働することによって空気吸込口１１ａからケーシング１１の内部に空気を吸込む。ケーシング１１の内部に吸込まれた空気をフィルタ３によって清浄する。清浄された空気に対して空気イオン発生手段２によって発生した空気イオンを含ませる。そして、空気イオンを含む清浄空気を、空気吹出口１１ｂからケーシング１１の外部の所定域（ダクト４）に吹出す。この結果、空気イオン発生手段２を風上に配置した所望の対象部位であって、図５に示す空気吹出口１１ｂおよび所定域（ダクト４）などの空気イオン発生手段２の周辺や風下部に対し、そこに至る空気イオンによって除菌、抗ウィルスおよび抗アレルゲン作用を行う。
【００４７】
したがって、図５に示す空気イオン搬送装置では、空気イオン発生手段２を風上に配置したことで、その風下にある所望の対象部位である空気吹出口１１ｂおよび所定域（ダクト４）などの空気イオン発生手段２の周辺や風下部など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、空気イオン発生手段２を空気吹出口１１ｂ近傍に配置したことによって、空気吹出口１１ｂから遠方に空気イオンを飛ばすことが可能である。
【００４８】
図６に示す空気イオン搬送装置は、送風手段１と空気イオン発生手段２とを有した空気イオン搬送システム（換気システム）を構成してある。送風手段１は、給気送風機１２ａと排気送風機１２ｂとを有している。給気送風機１２ａは、その空気吸込側が外気に通じる取入ダクト４ａに接続してあり、その空気吹出側が所定域としての部屋５に繋がる給気ダクト４ｂに接続してある。給気ダクト４ｂが部屋５に繋がる部位には給気口６が設けてある。排気送風機１２ｂは、その空気吸込側が部屋５に繋がるリターンダクト４ｃに接続してあり、その空気吹出側が外気に通じる排気ダクト４ｄに接続してある。リターンダクト４ｃが部屋５に繋がる部位には排気口７が設けてある。
【００４９】
空気イオン発生手段２は、上述した構成と同様であって、以下の部位の少なくとも１箇所（１箇所または複数または全て）に配置してある。具体的に空気イオン発生手段２を配置する部位は、図６に示すように取入ダクト４ａ（Ａ）、給気ダクト４ｂの給気送風機１２ａ近傍（Ｂ）、給気ダクト４ｂの給気口６近傍（Ｃ）、リターンダクト４ｃの排気口７近傍（Ｄ）、および排気ダクト４ｄ（Ｅ）である。
【００５０】
図６に示すように構成した空気イオン搬送装置は、給気送風機１２ａを稼働することによって取入ダクト４ａから外気を取入れ、給気ダクト４ｂを介して給気口６から部屋５に外気を給気する。この際、取入ダクト４ａから取入れた外気に対して取入ダクト４ａに配置した空気イオン発生手段２（Ａ）が発生した空気イオンを含ませる。すなわち、空気イオンが給気送風機１２ａに至る。また、給気送風機１２ａが送風する空気に対して給気ダクト４ｂの給気送風機１２ａ近傍に配置した空気イオン発生手段２（Ｂ）が発生した空気イオンを含ませる。すなわち、空気イオンが給気ダクト４ｂに至る。また、給気ダクト４ｂを通過する空気に対して給気ダクト４ｂの給気口６近傍に配置した空気イオン発生手段２（Ｃ）が発生した空気イオンを含ませる。すなわち、空気イオンが給気口６を介して部屋５に至る。この結果、空気イオン発生手段２を風上に配置した所望の対象部位であって、図６に示す給気送風機１２ａ、給気ダクト４ｂ、給気口６および部屋５に対し、そこに至る空気イオンによって除菌、抗ウィルスおよび抗アレルゲン作用を行う。
【００５１】
一方、図６に示すように構成した空気イオン搬送装置は、排気送風機１２ｂを稼働することによって排気口７を介して部屋５内の空気をリターンダクト４ｃに取入れ、排気ダクト４ｄを介して部屋５内の空気を外気に排気する。この際、排気口７から取入れた部屋５内の空気に対してリターンダクト４ｃの排気口７近傍に配置した空気イオン発生手段２（Ｄ）が発生した空気イオンを含ませる。すなわち、空気イオンがリターンダクト４ｃおよび排気送風機１２ｂに至る。また、排気ダクト４ｄを通過する空気に対して排気ダクト４ｄに配置した空気イオン発生手段２（Ｅ）が発生した空気イオンを含ませる。すなわち、空気イオンが外気に至る。この結果、空気イオン発生手段２を風上に配置した所望の対象部位であって、図６に示すリターンダクト４ｃ、排気送風機１２ｂおよび外気に対して、そこに至る空気イオンによって除菌、抗ウィルスおよび抗アレルゲン作用を行う。
【００５２】
したがって、図６に示す空気イオン搬送装置では、空気イオン発生手段２を風上に配置したことで、その風下にある所望の対象部位である給気送風機１２ａ、給気ダクト４ｂ、給気口６、部屋５、リターンダクト４ｃ、排気送風機１２ｂおよび外気など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、排気する空気に空気イオンを含ませることによって、排気した空気の除菌、抗ウィルスおよび抗アレルゲン作用を行って周囲の環境の改善も行える。
【００５３】
図７に示す空気イオン搬送装置は、送風手段１と空気イオン発生手段２とを有した空気イオン搬送システム（熱交換空調システム）を構成してある。送風手段１は、給気送風機１２ａと排気送風機１２ｂとを有している。給気送風機１２ａは、その空気吸込側が外気に通じる取入ダクト４ａに接続してあり、その空気吹出側が所定域としての部屋５に繋がる給気ダクト４ｂに接続してある。取入ダクト４ａの給気送風機１２ａ近傍には、フィルタ３および空気の熱交換を行うコイル８を有したケーシング９が設けてある。給気ダクト４ｂが部屋５に繋がる部位には給気口６が設けてある。排気送風機１２ｂは、その空気吸込側が部屋５に繋がるリターンダクト４ｃに接続してあり、その空気吹出側が外気に通じる排気ダクト４ｄに接続してある。さらに、排気送風機１２ｂの空気吹出側は、排気ダクト４ｄから分岐してケーシング９のフィルタ３側に接続してある。リターンダクト４ｃが部屋５に繋がる部位には排気口７が設けてある。給気ダクト４ｂおよび排気ダクト４ｄには、熱交換器１０が相互に介在して設けてある。
【００５４】
空気イオン発生手段２は、上述した構成と同様であって、以下の部位の少なくとも１箇所（１箇所または複数または全て）に配置してある。具体的に空気イオン発生手段２を配置する部位は、図７に示すように取入ダクト４ａの熱交換器１０入口側の風上部（Ｆ）、取入ダクト４ａの熱交換器１０出口側（Ｇ）、ケーシング９内のフィルタ３入口側（Ｈ）、ケーシング９内のフィルタ３出口側であってコイル８入口側（Ｉ）、ケーシング９内のコイル８出口側（Ｊ）、給気ダクト４ｂの給気送風機１２ａ近傍（Ｋ）、給気ダクト４ｂの給気口６近傍（Ｌ）、リターンダクト４ｃの排気口７近傍（Ｍ）、排気送風機１２ｂの吹出側（Ｎ）、および排気ダクト４ｄの熱交換器１０出口側（Ｏ）である。
【００５５】
図７に示すように構成した空気イオン搬送装置は、給気送風機１２ａを稼働することによって取入ダクト４ａから外気を取入れ、熱交換器１０、フィルタ３およびコイル８を通過させた後、給気ダクト４ｂを介して給気口６から部屋５に外気を給気する。この際、取入ダクト４ａから取入れた外気に対して取入ダクト４ａの熱交換器１０入口側に配置した空気イオン発生手段２（Ｆ）が発生した空気イオンを含ませる。すなわち、空気イオンが熱交換器１０に至る。また、熱交換器１０を経た空気に対して取入ダクト４ａの熱交換器１０出口側に配置した空気イオン発生手段２（Ｇ）が発生した空気イオンを含ませる。すなわち、空気イオンがケーシング９のフィルタ３側に至る。また、ケーシング９内の空気に対してケーシング９内のフィルタ３入口側に配置した空気イオン発生手段２（Ｈ）が発生した空気イオンを含ませる。すなわち、空気イオンがフィルタ３に至る。また、ケーシング９内の空気に対してケーシング９内のフィルタ３出口側であってコイル８入口側に配置した空気イオン発生手段２（Ｉ）が発生した空気イオンを含ませる。すなわち、空気イオンがコイル８に至る。また、ケーシング９内の空気に対してケーシング９内のコイル８出口側に配置した空気イオン発生手段２（Ｊ）が発生した空気イオンを含ませる。すなわち、空気イオンが給気送風機１２ａに至る。また、給気送風機１２ａが送風する空気に対して給気ダクト４ｂの給気送風機１２ａ近傍に配置した空気イオン発生手段２（Ｋ）が発生した空気イオンを含ませる。すなわち、空気イオンが給気ダクト４ｂに至る。また、給気ダクト４ｂを通過する空気に対して給気ダクト４ｂの給気口６近傍に配置した空気イオン発生手段２（Ｌ）が発生した空気イオンを含ませる。すなわち、空気イオンが給気口６を介して部屋５に至る。この結果、空気イオン発生手段２を風上に配置した所望の対象部位であって、図７に示す熱交換器１０、ケーシング９、フィルタ３、コイル８、給気送風機１２ａ、給気ダクト４ｂ、給気口６および部屋５に対し、そこに至る空気イオンによって除菌、抗ウィルスおよび抗アレルゲン作用を行う。
【００５６】
一方、図７に示すように構成した空気イオン搬送装置は、排気送風機１２ｂを稼働することによって排気口７を介して部屋５内の空気をリターンダクト４ｃに取入れ、排気ダクト４ｄを介して部屋５内の空気を外気に排気する。あるいは、排気送風機１２ｂを稼働することによって排気口７を介して部屋５内の空気をリターンダクト４ｃに取入れ、分岐部からケーシング９に空気を戻す。この際、排気口７から取入れた部屋５内の空気に対してリターンダクト４ｃの排気口７近傍に配置した空気イオン発生手段２（Ｍ）が発生した空気イオンを含ませる。すなわち、空気イオンがリターンダクト４ｃおよび排気送風機１２ｂに至る。また、送風機１２ｂの吹出側を通過する空気に対して送風機１２ｂの吹出側に配置した空気イオン発生手段２（Ｎ）が発生した空気イオンを含ませる。すなわち、空気イオンが熱交換器１０およびケーシング９のフィルタ３側に至る。また、排気ダクト４ｄを通過する空気に対して排気ダクト４ｄの熱交換器１０出口側に配置した空気イオン発生手段２（Ｏ）が発生した空気イオンを含ませる。すなわち、空気イオンが外気に至る。この結果、空気イオン発生手段２を風上に配置した所望の対象部位であって、図７に示すリターンダクト４ｃ、排気送風機１２ｂ、熱交換器１０、ケーシング９および外気に対して、そこに至る空気イオンによって除菌、抗ウィルスおよび抗アレルゲン作用を行う。
【００５７】
したがって、図７に示す空気イオン搬送装置では、空気イオン発生手段２を風上に配置したことで、その風下にある所望の対象部位である熱交換器１０、ケーシング９、フィルタ３、コイル８、給気送風機１２ａ、給気ダクト４ｂ、給気口６および部屋５、リターンダクト４ｃ、排気送風機１２ｂおよび外気など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、排気する空気に空気イオンを含ませることによって、排気した空気の除菌、抗ウィルスおよび抗アレルゲン作用を行って周囲の環境の改善も行える。また、熱交換器１０に空気イオンを含ませた空気を送ることによって、熱交換器１０の各種部品交換時期を延長することが可能である。
【００５８】
図８に示す空気イオン搬送装置は、送風手段１と空気イオン発生手段２とを有した空気イオン搬送システム（全熱交換空調システム）を構成してある。送風手段１は、給気送風機１２ａと排気送風機１２ｂとを有している。給気送風機１２ａは、隔壁１１ｃで２つに区画されたケーシング１１の一方の領域１１ｄ内に配置してあって、当該一方の領域１１ｄの空気吸込側が外気に通じる取入ダクト４ａに接続してあり、その空気吹出側が所定域としての部屋５に繋がる給気ダクト４ｂに接続してある。ケーシング１１内の一方の領域１１ｄには、空気の熱交換を行うコイル８が設けてあり、ケーシング１１内の一方の領域１１ｄには、フィルタ３が設けてある。排気送風機１２ｂは、隔壁１１ｃで２つに区画されたケーシング１１の他方の領域１１ｅ内に配置してあって、当該他方の領域１１ｅの空気吸込側が部屋５に繋がるリターンダクト４ｃに接続してあり、その空気吹出側が外気に通じる排気ダクト４ｄに接続してある。ケーシング１１内の他方の領域１１ｅには、フィルタ３が設けてある。
【００５９】
空気イオン発生手段２は、上述した構成と同様であって、以下の部位の少なくとも１箇所（１箇所または複数または全て）に配置してある。具体的に空気イオン発生手段２を配置する部位は、図８に示すように取入ダクト４ａ（Ｐ）、ケーシング１１内の一方の領域１１ｄのフィルタ３入口側（Ｑ）、ケーシング１１内の一方の領域１１ｄのフィルタ３出口側であってコイル８入口側（Ｒ）、給気ダクト４ｂの給気送風機１２ａ近傍もしくはケーシング１１内の給気送風機１２ａ吹出側（Ｓ）、給気ダクト４ｂの給気口６近傍（Ｔ）、リターンダクト４ｃの排気口７近傍（Ｕ）、ケーシング１１内の他方の領域１１ｅのフィルタ３入口側（Ｖ）、および排気ダクト４ｄもしくはケーシング１１内の排気送風機１２ｂ吹出側（Ｗ）である。
【００６０】
図８に示すように構成した空気イオン搬送装置は、給気送風機１２ａを稼働することによって取入ダクト４ａから外気を取入れ、ケーシング１１の一方の領域１１ｄにおいてフィルタ３およびコイル８を通過させた後、給気ダクト４ｂを介して給気口６から部屋５に外気を給気する。この際、取入ダクト４ａから取入れた外気に対して取入ダクト４ａに配置した空気イオン発生手段２（Ｐ）が発生した空気イオンを含ませる。すなわち、空気イオンが取入ダクト４ａからケーシング１１に至る。また、ケーシング１１内の一方の領域１１ｄのフィルタ３入口側に配置した空気イオン発生手段２（Ｑ）が発生した空気イオンを含ませる。すなわち、空気イオンがケーシング１１内の一方の領域１１ｄにおいてフィルタ３に至る。また、ケーシング１１内の一方の領域１１ｄのフィルタ３出口側であってコイル８入口側に配置した空気イオン発生手段２（Ｒ）が発生した空気イオンを含ませる。すなわち、空気イオンがコイル８に至る。また、給気送風機１２ａが送風する空気に対して給気ダクト４ｂの給気送風機１２ａ近傍もしくはケーシング１１内の給気送風機１２ａ吹出側に配置した空気イオン発生手段２（Ｓ）が発生した空気イオンを含ませる。すなわち、空気イオンが給気ダクト４ｂに至る。また、給気ダクト４ｂを通過する空気に対して給気ダクト４ｂの給気口６近傍に配置した空気イオン発生手段２（Ｔ）が発生した空気イオンを含ませる。すなわち、空気イオンが給気口６を介して部屋５に至る。この結果、空気イオン発生手段２を風上に配置した所望の対象部位であって、図８に示す取入ダクト４ａ、ケーシング１１内の一方の領域１１ｄ、フィルタ３、コイル８、給気送風機１２ａ、給気ダクト４ｂ、給気口６および部屋５に対し、そこに至る空気イオンによって除菌、抗ウィルスおよび抗アレルゲン作用を行う。
【００６１】
一方、図８に示すように構成した空気イオン搬送装置は、排気送風機１２ｂを稼働することによって排気口７を介して部屋５内の空気をリターンダクト４ｃに取入れ、ケーシング１１の他方の領域１１ｅにおいてフィルタ３を通過させた後、排気ダクト４ｄを介して部屋５内の空気を外気に排気する。この際、排気口７から取入れた部屋５内の空気に対してリターンダクト４ｃの排気口７近傍に配置した空気イオン発生手段２（Ｕ）が発生した空気イオンを含ませる。すなわち、空気イオンがリターンダクト４ｃおよびケーシング１１内の他方の領域１１ｅに至る。また、ケーシング１１内の他方の領域１１ｅの空気に対してケーシング１１内の他方の領域１１ｅのフィルタ３入口側に配置した空気イオン発生手段２（Ｖ）が発生した空気イオンを含ませる。すなわち、空気イオンがケーシング１１内の他方の領域１１ｅにおいてフィルタ３および排気送風機１２ｂに至る。また、排気送風機１２ｂが送風する空気に対して排気ダクト４ｄもしくはケーシング１１内の排気送風機１２ｂ吹出側に配置した空気イオン発生手段２（Ｗ）が発生した空気イオンを含ませる。すなわち、空気イオンが外気に至る。この結果、空気イオン発生手段２を風上に配置した所望の対象部位であって、図８に示すリターンダクト４ｃ、ケーシング１１内の他方の領域１１ｅ、フィルタ３、排気送風機１２ｂおよび外気に対して、そこに至る空気イオンによって除菌、抗ウィルスおよび抗アレルゲン作用を行う。
【００６２】
したがって、図８に示す空気イオン搬送装置では、空気イオン発生手段２を風上に配置したことで、その風下にある所望の対象部位であるケーシング１１内の一方の領域１１ｄ、フィルタ３、コイル８、給気送風機１２ａ、給気ダクト４ｂ、給気口６、部屋５、リターンダクト４ｃ、ケーシング１１内の他方の領域１１ｅ、排気送風機１２ｂおよび外気など空気イオン搬送ユニットの構成部を含み、そこに至る空気イオンによって除菌、抗ウィルスおよび抗アレルゲン作用を行う。この結果、空気イオンの効果を長く維持して高効率で所定域に空気イオンを搬送することが可能になる。また、排気する空気に空気イオンを含ませることによって、排気した空気の除菌、抗ウィルスおよび抗アレルゲン作用を行って周囲の環境の改善も行える。また、全熱交換器を構成するケーシング１１内に空気イオン発生手段２を設けたことによって、全熱交換器内のフィルタ３やコイル８の除菌、抗ウィルスおよび抗アレルゲン作用が行えるので、全熱交換器の各種部品交換時期を延長することが可能である。
【００６３】
なお、上述した実施の形態において、空気イオンはフィルタ３や熱交換器１０通過時に減衰するものが多く、プレフィルタ、除塵フィルタなどの各種フィルタや熱交換器は空気イオン発生手段２の風上側に設置することが望ましいが、フィルタや熱交換器そのものに荷電等がなく、発生したイオンが減衰されない場合には、フィルタあるいは熱交換器を空気イオン発生手段２の風下側に設置することができる。また、コイル８も同様に空気イオン発生手段２の風上側に設置することが望ましいが、コイル８そのものに荷電等がなく、発生したイオンが減衰されない場合には、コイル８を空気イオン発生手段２の風下側に設置することができる。
【００６４】
上述した実施の形態において、図６〜図８までは、換気システムの説明であったが、「ＯＡ」や「ＲＡ」に冷暖房や加湿や除湿、化学物質などの吸着や分解、細菌・塵埃などの除去を行う空気調和（空調）システムに対して空気イオン搬送装置を同様に応用することができる。
【００６５】
また、上述した実施の形態において、ケーシング１１，９、ダクト４（４ａ、４ｂ、４ｃ、４ｄ）などの空気イオンを搬送する部位には、これらの帯電によって空気イオンの搬送効率が低下するので、図には明示しないが空気イオンを搬送する部位に金属や導電性などのある非／低帯電材料を用いる、または帯電した電荷を除去するための電荷除去装置やアースを行う場所を設置するなど帯電除去手段を用意することが好ましい。この結果、空気イオンの搬送効率を向上することが可能になり、除菌、抗ウィルスおよび抗アレルゲン効果を高めるとともに、空気イオンの搬送距離を長くすることが可能になる。
【００６６】
なお、図には明示しないが上述した全ての実施の形態において、空気イオン発生手段２の風上に整流板、仕切板などを配置し、発生する空気イオンの向きや風量を調整するようにしてもよい。
【００６７】
また、住宅、オフィス、各種施設（食品、医療、老健、教育、宿泊施設など）、その他工場など、種々の建物や車両（乗用車、バス、電車など）用途や対象室の使用目的や周囲環境状況などに応じて、その所望とする対象部位への空気イオン発生手段２の設置位置の組み合わせを決めてもよい。また、空気イオン発生手段２を全ての箇所に設置する必要はない。さらに、重点的に除菌、抗ウィルスおよび抗アレルゲン作用を行いたい対象部位の風上には、目的に合わせて複数個の空気イオン発生手段２を設けてもよい。
【図面の簡単な説明】
【００６８】
【図１】本発明に係る空気イオン搬送装置としての空気イオン搬送ユニットを示す概略図である。
【図２】本発明に係る空気イオン搬送装置としての空気イオン搬送ユニットを示す概略図である。
【図３】本発明に係る空気イオン搬送装置としての空気イオン搬送ユニットを示す概略図である。
【図４】本発明に係る空気イオン搬送装置としての空気イオン搬送ユニットを示す概略図である。
【図５】本発明に係る空気イオン搬送装置としての空気イオン搬送ユニットを示す概略図である。
【図６】本発明に係る空気イオン搬送装置としての空気イオン搬送システムを示す概略図である。
【図７】本発明に係る空気イオン搬送装置としての空気イオン搬送システムを示す概略図である。
【図８】本発明に係る空気イオン搬送装置としての空気イオン搬送システムを示す概略図である。
【符号の説明】
【００６９】
１    送風手段
１１    ケーシング
１１ａ    空気吸込口
１１ｂ    空気吹出口
１１ｃ    隔壁
１１ｂ    一方の領域
１１ｃ    他方の領域
１２    送風機
１２ａ    給気送風機
１２ｂ    排気送風機
２    空気イオン発生手段
３    フィルタ
４    ダクト
４ｃ    リターンダクト
４ｂ    給気ダクト
４ａ    取入ダクト
４ｄ    排気ダクト
５    部屋
６    給気口
７    排気口
８    コイル
９    ケーシング
１０    熱交換器
【図１】
2006280787.tif 000003
【図２】
2006280787.tif 000004
【図３】
2006280787.tif 000005
【図４】
2006280787.tif 000006
【図５】
2006280787.tif 000007
【図６】
2006280787.tif 000008
【図７】
2006280787.tif 000009
【図８】
2006280787.tif 000010